(57)【要約】【課題】画像形成装置の本体側のコネクタと追加機器側のコネクタを接続するための構成を簡易なものとする。【解決手段】装置本体側の回路基板２６に受け側コネクタ２８が実装される。受け側コネクタ２８を挟むようにガイド部材５６Ａ，５６Ｂが配置されている。追加機器であるファクシミリモデム１８側の差し込み側コネクタ２４がガイド部材５６Ａ，５６Ｂの先端に仮置きされる。押し込みレバー３６を倒して差し込み側コネクタ２４の背面を押し、受け側コネクタ２８に向けて押し込む。【選択図】図７
2020047494.tif 000002
【特許請求の範囲】
【請求項１】
装置本体と、
前記装置本体に固定された回路基板上に配置され、追加機器と前記装置本体上の機器を電気的に接続するための受け側コネクタと、
前記追加機器から延びるハーネスの端に設けられた差し込み側コネクタを仮置きする仮置き部と、
前記装置本体に回転可能に設けられ、仮置きされた前記差し込み側コネクタを直接押して前記受け側コネクタに押し込む押し込み操作子と、
を備えた画像形成装置。
【請求項２】
前記押し込み操作子は、押し込み位置で前記ハーネスの少なくとも一部を覆う、請求項１に記載の画像形成装置。
【請求項３】
前記押し込み操作子が押し込み位置にあるとき、前記押し込み操作子と前記追加機器の隙間は、作業者の指が通らない程度に狭い、請求項２に記載の画像形成装置。
【請求項４】
前記押し込み操作子の断面形状はコの字形である、請求項1または２に記載の画像形成装置。
【請求項５】
前記装置本体の、前記押し込み操作子に対向する位置に、前記押し込み操作子の側壁の内側に沿うように配置された案内壁を備えた、請求項４に記載の画像形成装置。
【請求項６】
前記押し込み操作子は、前記追加機器を押さえ、保持する、請求項１に記載の画像形成装置。
【請求項７】
前記押し込み操作子は先端に突起を有し、当該突起が前記追加機器を押さえる、請求項６に記載の画像形成装置。
【請求項８】
前記追加機器は、押し込み位置にある前記押し込み操作子の前記突起を受ける突起受け部を有し、前記押し込み操作子の断面形状はコの字形であり、前記突起は前記押し込み操作子の一方の側壁と当該側壁に隣接する上壁により形成され、他方の側壁の内側に沿うように前記装置本体に配置された案内壁を備えた、請求項７に記載の画像形成装置。
【請求項９】
さらに前記装置本体に設けられた操作子支持部材を備え、前記操作子支持部材と前記押し込み操作子の一方に設けられた保持突起と、他方に設けられた弾性保持片との係合により、前記押し込み操作子が押し込み位置に保持される、請求項１から８のいずれか１項に記載の画像形成装置。
【請求項１０】
前記押し込み操作子の回転に伴って前記保持突起が前記弾性保持片を通過するとき、前記弾性保持片は、たわんで前記保持突起を通過させ、前記押し込み操作子の押し込み位置で、元の位置に戻って前記保持突起の側面に係合して前記押し込み操作子を保持する、請求項９に記載の画像形成装置。
【請求項１１】
前記仮置き部は、前記受け側コネクタを挟んだ両側に配置され、かつ前記受け側コネクタよりも前記回路基板から離れる向きに延びたガイド部材を有する、請求項１に記載の画像形成装置。
【請求項１２】
前記ガイド部材の先端部には、互いに対向する面に斜面が設けられている、請求項１１に記載の画像形成装置。
【請求項１３】
前記装置本体は、前記回路基板が固定される底板と、底板の縁に立設された側板とを有するブラケットを含み、前記ブラケットの側板には切り欠き部が形成され、前記押し込み操作子は、前記切り欠き部内に、一部が回路基板の辺縁よりも外側にはみ出るように配置されている、請求項１から１２のいずれか１項に記載の画像形成装置。
【請求項１４】
前記装置本体に装着されて、搭載された前記追加機器を覆う蓋を含み、前記差し込み側コネクタを押し込む前の前記押し込み操作子は、前記蓋の前記装置本体への装着を阻止する、請求項１から１３のいずれか１項に記載の画像形成装置。
【発明の詳細な説明】
【技術分野】
【０００１】
本発明は、画像形成装置に関する。
【背景技術】
【０００２】
画像形成装置に追加機器を搭載する際、装置本体と追加機器を電気的に接続する必要がある。具体的には、装置本体の基板に実装された受け側コネクタと、追加機器に備えられた差し込み側コネクタを接続して電気的接続が確立される。従来、コネクタ同士を確実に接続するために様々な工夫がなされている。
【０００３】
下記特許文献１には、雌コネクタを保持した保持部材を、雄コネクタハウジングのオスタブを備えたコネクタ部に内嵌し、雌コネクタの端子とオスタブを接続するコネクタが示されている。保持部材には回転可能にレバーが設けられ、レバーを回転操作することにより、保持部材が雄コネクタハウジングに向けて移動し、保持されている雌コネクタがコネクタ部に押し込まれる。
【先行技術文献】
【特許文献】
【０００４】
【特許文献１】特開平１０−２７６４８号公報
【発明の概要】
【発明が解決しようとする課題】
【０００５】
電気的な接続を行うためのコネクタにおいて、一方のコネクタを保持具に保持し、保持具に備えられたレバー等の操作子を操作して相手方のコネクタに向けて移動させる構成に比べ、部品点数を削減する。
【課題を解決するための手段】
【０００６】
請求項1に係る発明は、装置本体と、前記装置本体に固定された回路基板上に配置され、追加機器と前記装置本体上の機器を電気的に接続するための受け側コネクタと、前記追加機器から延びるハーネスの端に設けられた差し込み側コネクタを仮置きする仮置き部と、前記装置本体に回転可能に設けられ、仮置きされた前記差し込み側コネクタを直接押して前記受け側コネクタに押し込む押し込み操作子と、を備えた画像形成装置である。
【０００７】
請求項２に係る発明は、前記押し込み操作子が、押し込み位置で前記ハーネスの少なくとも一部を覆う、請求項１に記載の画像形成装置である。
【０００８】
請求項３に係る発明は、前記押し込み操作子が押し込み位置にあるとき、前記押し込み操作子と前記追加機器の隙間は、作業者の指が通らない程度に狭い、請求項２に記載の画像形成装置である。
【０００９】
請求項４に係る発明は、前記押し込み操作子の断面形状がコの字形である、請求項1または２に記載の画像形成装置である。
【００１０】
請求項５に係る発明は、前記装置本体の、前記押し込み操作子に対向する位置に、前記押し込み操作子の側壁の内側に沿うように配置された案内壁を備えた、請求項４に記載の画像形成装置である。
【００１１】
請求項６に係る発明は、前記押し込み操作子が、前記追加機器を押さえ、保持する、請求項１に記載の画像形成装置である。
【００１２】
請求項７に係る発明は、前記押し込み操作子が先端に突起を有し、当該突起が前記追加機器を押さえる、請求項６に記載の画像形成装置である。
【００１３】
請求項８に係る発明は、前記追加機器が、押し込み位置にある前記押し込み操作子の前記突起を受ける突起受け部を有し、前記押し込み操作子の断面形状はコの字形であり、前記突起は前記押し込み操作子の一方の側壁と当該側壁に隣接する上壁により形成され、他方の側壁の内側に沿うように前記装置本体に配置された案内壁を備えた、請求項７に記載の画像形成装置である。
【００１４】
請求項９に係る発明は、さらに前記装置本体に設けられた操作子支持部材を備え、前記操作子支持部材と前記押し込み操作子の一方に設けられた保持突起と、他方に設けられた弾性保持片との係合により、前記押し込み操作子が押し込み位置に保持される、請求項１から８のいずれか１項に記載の画像形成装置である。
【００１５】
請求項１０に係る発明は、前記押し込み操作子の回転に伴って前記保持突起が前記弾性保持片を通過するとき、前記弾性保持片は、たわんで前記保持突起を通過させ、前記押し込み操作子の押し込み位置で、元の位置に戻って前記保持突起の側面に係合して前記押し込み操作子を保持する、請求項９に記載の画像形成装置である。
【００１６】
請求項１１に係る発明は、前記仮置き部は、前記受け側コネクタを挟んだ両側に配置され、かつ前記受け側コネクタよりも前記回路基板から離れる向きに延びたガイド部材を有する、請求項１に記載の画像形成装置である。
【００１７】
請求項１２に係る発明は、前記ガイド部材の先端部には、互いに対向する面に斜面が設けられている、請求項１１に記載の画像形成装置である。
【００１８】
請求項１３に係る発明は、前記装置本体は、前記回路基板が固定される底板と、底板の縁に立設された側板とを有するブラケットを含み、前記ブラケットの側板には切り欠き部が形成され、前記押し込み操作子は、前記切り欠き部内に、一部が回路基板の辺縁よりも外側にはみ出るように配置されている、請求項１から１２のいずれか１項に記載の画像形成装置である。
【００１９】
請求項１４に係る発明は、前記装置本体に装着されて、搭載された前記追加機器を覆う蓋を含み、前記差し込み側コネクタを押し込む前の前記押し込み操作子は、前記蓋の前記装置本体への装着を阻止する、請求項１から１３のいずれか１項に記載の画像形成装置である。
【発明の効果】
【００２０】
請求項１に係る発明によれば、一方のコネクタを保持具に保持し、保持具に備えられたレバー等の操作子を操作して相手方のコネクタに向けて移動させる構成に比べ、部品点数を削減することができる。
【００２１】
請求項２に係る発明によれば、作業者がハーネスを引っ掛けることを抑制することができる。
【００２２】
請求項３に係る発明によれば、作業者が押し込み位置にある押し込み操作子を指で引っ掛けることを抑制することができる。
【００２３】
請求項４に係る発明によれば、ハーネスを所定の位置に保持することができる。
【００２４】
請求項５に係る発明によれば、ハーネスの所定の位置への配置を助けることができる。
【００２５】
請求項６に係る発明によれば、追加機器の浮き上がりを抑制することができる。
【００２６】
請求項７に係る発明によれば、追加機器を押さえる突起を操作の際の持ち手として利用することができる。
【００２７】
請求項８に係る発明によれば、押し込み操作子を、追加機器を押さえた状態に安定的に保持することができる。
【００２８】
請求項９に係る発明によれば、押し込み操作子を、追加機器を押さえた状態に安定的に保持することができる。
【００２９】
請求項１０に係る発明によれば、押し込み操作子を、追加機器を押さえた状態に安定的に保持することができる。
【００３０】
請求項１１に係る発明によれば、仮置き時に、差し込み側コネクタを挟んで保持することができる。
【００３１】
請求項１２に係る発明によれば、差し込み側コネクタを仮置きしやすくなる。
【００３２】
請求項１３に係る発明によれば、回路基板の端縁に配置された受け側コネクタに対応しやすくなる。
【００３３】
請求項１４に係る発明によれば、追加機器搭載時にコネクタの接続を忘れることを防止することができる。
【図面の簡単な説明】
【００３４】
【図１】画像形成装置を示す斜視図である。
【図２】基板装置にファクシミリモデムを装着する過程を示す斜視図である。
【図３】押し込みレバーの外観を示す斜視図である。
【図４】レバー支持部材の外観を示す斜視図である。
【図５】レバー支持部材に押し込みレバーを組み付けた状態を示す斜視図である。
【図６】押し込みレバーおよびレバー支持部材のブラケットへの取り付けに関する説明図である。
【図７】コネクタ接続の説明図であり、差し込み側コネクタを仮置きした状態を示す図である。
【図８】コネクタ接続の説明図であり、押し込みレバーにより差し込み側コネクタを押し込む過程を示す図である。
【図９】コネクタ接続の説明図であり、差し込み側コネクタと受け側コネクタが接続した状態を示す図である。
【図１０】ファクシミリモデムの装着が完了した状態を示す基板装置の斜視図である。
【図１１】押し込み位置にある押し込みレバーとその周囲の部品との関連を示す図である。
【図１２】押し込みレバーを押し込み位置に保持する機構の説明図である。
【発明を実施するための形態】
【００３５】
以下、本発明の実施形態を図面に従って説明する。図１は、画像形成装置１０の外観を示す斜視図である。画像形成装置１０の装置本体１２の内部に、電子部品が実装された回路基板を備えた基板装置１４が配置されている。基板装置１４には、オプション設定された追加機器を後付けする場合があり、この場合、装置本体１２側面の側面パネル１６を外して、基板装置１４にアクセスする。
【００３６】
図２は、基板装置１４に追加機器を取り付ける過程、特に取り付け開始時の状態を示す図である。なお、例示する追加機器はファクシミリモデム１８である。ファクシミリモデム１８は、概略直方体のモデム本体２０と、モデム本体２０から延びるハーネス２２と、ハーネス２２の先端に設けられた差し込み側コネクタ２４を有する。基板装置１４は、電子部品が実装された回路基板２６を含む。回路基板２６上には、回路基板２６上、または装置本体１２側の電子部品とファクシミリモデム１８を接続するための受け側コネクタ２８が実装されている。差し込み側コネクタ２４と受け側コネクタ２８を接続することにより、ファクシミリモデム１８と回路基板２６上等の電子部品が電気的に接続される。
【００３７】
基板装置１４は、さらに回路基板２６が固定されるブラケット３０を含む。ブラケット３０を装置本体１２に固定することで、基板装置１４が装置本体１２に装着され、装置本体１２と一体になる。ブラケット３０は、回路基板２６が固定されるブラケット底板（不図示）と、底板の縁に立設されたブラケット側板３２を有する。ブラケット側板３２には、レバー支持部材３４を介して押し込みレバー３６が装着されている。レバー支持部材３４は、ブラケット側板３２に固定的に装着され、押し込みレバー３６はレバー支持部材３４に回転可能に支持されている。ファクシミリモデム１８を装着する際には、押し込みレバー３６が回動して、差し込み側コネクタ２４を受け側コネクタ２８に向けて押し込む。
【００３８】
基板装置１４は、装置本体１２に対して、図２に示す矢印ＵＰの向きを上向きにして、回路基板２６を立てた状態で取り付けられる。
【００３９】
次に、押し込みレバー３６、レバー支持部材３４の詳細な形状について、図３〜図５に従って説明する。押し込みレバー３６は、断面が図３において下方に開口したコの字形であり、コの字の横画に相当する部分をレバー側壁３８Ａ，３８Ｂと記し、コの字の縦画に相当する部分をレバー上壁４０と記す。レバー側壁３８Ａ，３８Ｂには、レバー側壁に交差するようにレバー軸４２が設けられている。レバー軸４２は、レバー側壁３８Ａ，３８Ｂの外壁面から外向きに延びると共に、図５に示すようにレバー側壁３８Ａ，３８Ｂの内壁面から相手方のレバー側壁に向けて延びている。押し込みレバー３６は、レバー軸４２を軸として所定の範囲、例えば約９０°の範囲で回転する。レバー側壁３８Ａ，３８Ｂの外壁面には、保持突起４４が設けられている。保持突起４４は、後述するレバー支持部材の弾性保持片５８（図４参照）と協働して、押し込みレバー３６の姿勢を保持する。押し込みレバー３６の先端、つまり回転の軸から遠い側の端には、レバー突起４６が設けられている。レバー突起４６は一方のレバー側壁３８Ａと、これに隣接するレバー上壁４０の一部で構成されてよく、この場合レバー突起４６の断面形状は、Ｌ字形となる。
【００４０】
レバー支持部材３４は、１対の支持部材側壁４８と、支持部材側壁４８の図４において上端を橋渡すように設けられた受けフランジ５０を有する。受けフランジ５０は、ブラケット３０の支持フランジ６２（図６参照）を受け、ブラケット３０に対してレバー支持部材３４を安定的に固定するのに貢献している。レバー支持部材３４は、押し込みレバー３６のレバー軸４２を保持する軸保持部５２を含む。軸保持部５２は、若干、口の部分が狭くなった略Ｕ字形の切り欠きであり、レバー軸４２を押し込むと素材の弾性によって開き、押し込まれた後のレバー軸４２を保持する。
【００４１】
レバー支持部材３４には、回路基板２６上に配置された受け側コネクタ２８を収容する収容開口５４が形成されている。収容開口５４は、図４において上方および下方に開口しており、下方から受け側コネクタ２８を受け入れ、受け入れた受け側コネクタ２８の上方は開放される。
【００４２】
収容開口５４に隣接して、また収容開口５４を挟むようにガイド部材５６Ａ，５６Ｂが配置されている。ガイド部材５６Ａ，５６Ｂは、レバー支持部材３４がブラケット３０に取り付けられたとき回路基板２６から離れる向きに延びている。また、ガイド部材５６Ａ，５６Ｂは、受け側コネクタ２８と接続する前の差し込み側コネクタ２４を仮置きする仮置き部として機能し、また、差し込み側コネクタ２４を受け側コネクタ２８に向けて案内する機能を有する。ガイド部材５６Ａ，５６Ｂの機能については後に詳述する。収容開口５４の一方の側に配置されたガイド部材５６Ａは、軸保持部５２を形成する部材の一部として構成されてよい。また、ガイド部材５６Ａは、収容開口５４の反対側に配置されたガイド部材５６Ｂより長く、その先端が図４においてより上方に位置する。さらに、ガイド部材５６Ａとガイド部材５６Ｂの互いに対向する面には、先端部に、先端に行くほど間隔が広くなる斜面が形成されている。
【００４３】
支持部材側壁４８は、図４において上方に延びる弾性保持片５８を有する。弾性保持片５８は、押し込みレバー３６の回転に際して、レバー側壁３８Ａ，３８Ｂに設けられた保持突起４４が通過する際、保持突起４４に押されてたわみ、保持突起４４の通過を許容する。保持突起４４の通過後は、元の位置に復帰する。
【００４４】
図６は、レバー支持部材３４のブラケット３０への取り付けに関する説明図である。ブラケット３０のブラケット側板３２には、レバー支持部材３４を受け入れる側板切り欠き部６０が形成されている。また、ブラケット３０には、側板切り欠き部６０をまたぐように、かつ基板装置１４の外側に張り出すように支持フランジ６２が設けられている。レバー支持部材３４を側板切り欠き部６０に配置すると、レバー支持部材３４および押し込みレバー３６は、一部がブラケット側板３２および回路基板２６の辺縁の外側にはみ出るように位置する。例えば、レバー軸４２がほぼブラケット側板３２の位置に配置されるようにしてよい。受け側コネクタ２８が回路基板２６の端縁近傍に位置する場合に、レバー支持部材３４の一部を外側にはみ出すように配置することで、押し込みレバー３６による力が差し込み側コネクタに有効に作用する。レバー支持部材３４をブラケット３０に取り付けたとき、回路基板２６上の受け側コネクタ２８は、レバー支持部材３４の収容開口５４内に収容される。
【００４５】
図７から図１０は、差し込み側コネクタ２４と受け側コネクタ２８の接続過程の説明図である。図７において、モデム本体２０は、回路基板２６上に設けられたモデム保持部６４（図１０参照）に保持されている。また、ハーネス２２先端の差し込み側コネクタ２４は、レバー支持部材３４に設けられたガイド部材５６Ａ，５６Ｂに仮置きされている。まず、差し込み側コネクタ２４を、図７において上方から、対向するガイド部材５６Ａ，５６Ｂの間に差し込む。ガイド部材５６Ａ，５６Ｂの先端部の対向する面に形成された斜面により、差し込み側コネクタ２４はガイド部材５６Ａ，５６Ｂの間に容易に差し込まれる。この段階では、差し込み側コネクタ２４と受け側コネクタ２８は電気的に未接続の状態であり、例えば、受け側コネクタ２８上に差し込み側コネクタ２４が置かれた状態となっている。
【００４６】
図８は、押し込みレバー３６を図７の状態から回転させ、斜めにした状態を示す図である。このとき、作業者は、押し込みレバー３６の先端に設けられたレバー突起４６を把持して、押し込みレバー３６を倒してよい。押し込みレバー３６を回転させると、レバー側壁３８Ａ，３８Ｂの下縁が仮置きされていた差し込み側コネクタ２４の背面に当たり、これを直接押して、受け側コネクタ２８に向けて押し込む。このとき、ガイド部材５６Ａ，５６Ｂが差し込み側コネクタ２４を受け側コネクタ２８に向けて案内する。
【００４７】
図９は、押し込みレバー３６が倒され、差し込み側コネクタ２４と受け側コネクタ２８が結合して電気的な接続が完了した状態を示す図である。また、図１０は、コネクタの接続が完了した状態の基板装置１４を示す斜視図である。押し込みレバー３６を図９において横になるように倒すと、差し込み側コネクタ２４は、受け側コネクタ２８に押し込まれ、両者の端子同士が接続して電気的接続が確立する。このときの押し込みレバー３６の位置を押し込み位置と記す。押し込みレバー３６が押し込み位置となると、ハーネス２２は、押し込みレバー３６のコの字形断面の内側に収容され、保持される。ハーネス２２が押し込みレバー３６に収容されることで、ハーネス２２と周囲の機器との間が所定の距離に保たれる。また、図１０に示されるように、ハーネス２２は押し込みレバー３６にほぼ覆われる。押し込みレバー３６のレバー突起４６は、ハーネス２２に隣接する位置においてモデム本体２０から突出した突起受け部６６に当たり、ファクシミリモデム１８がモデム保持部６４から浮き上がること抑制する。
【００４８】
このように、押し込みレバー３６は、差し込み側コネクタ２４を受け側コネクタ２８に押し込む際に、作業者が操作する押し込み操作子として機能する。押し込みレバー３６は他の機能部材とは独立した部品としてもよく、他の機能部材の一部として形成されてよく、例えばレバー支持部材３４の一部として形成されてよい。
【００４９】
押し込みレバー３６が倒れることにより、基板装置１４に対する蓋７０の取り付けが許容される。図２および図７に示すように、押し込みレバー３６が立っている場合、押し込みレバー３６が蓋７０の取り付けを阻害する。押し込みレバー３６が倒れ、押し込み位置とされることで、押し込みレバー３６がブラケット３０の高さ内に収まり、蓋７０の取り付けが許容される。
【００５０】
図１１は、押し込み位置にある押し込みレバー３６および周囲の構成を図１０の上方から見た状態を示す図である。前述のように、モデム本体２０から突出して設けられた突起受け部６６は、押し込みレバー３６のレバー突起４６を受けている。レバー突起４６が設けられた側とは反対側のレバー側壁３８Ｂの内側の位置には、レバー側壁３８Ｂに沿うように案内壁６８が配置されている。案内壁６８は、回路基板２６上に設けられており、押し込みレバー３６が倒される以前において、ハーネス２２の延びる方向を案内する。押し込みレバー３６を倒す前にハーネス２２の位置を定めることにより、押し込みレバー３６を倒したときにハーネス２２の挟み込みが防止される。図１１に示すように、ハーネス２２は、押し込みレバー３６のレバー側壁３８Ａ，３８Ｂとレバー上壁４０および案内壁６８に囲まれ、あらかじめ定められた位置に安定的に配置される。また、外部からのアクセス、例えば作業者が意図せずに引っ掛けてしまうことを防いでいる。また、押し込みレバー３６とモデム本体２０の隙間ｄは、成人の作業者の指が入らないようにされている。例えば隙間ｄは１０ｍｍ以下とし得る。押し込みレバー３６を持ち上げる際には、レバー突起４６の側面、例えば、レバー側壁３８Ａの図１１において紙面奥側の端縁に指を掛けて押し込みレバー３６を操作する。
【００５１】
押し込みレバーは、レバー突起４６を設けず、先端縁が平らとなるように構成してもよい。この場合、押し込みレバーの先端縁の一部がモデム本体２０の突起受け部６６に接するようにして、ファクシミリモデム１８の浮き上がりを防いでよい。
【００５２】
図１２は、押し込みレバー３６を押し込み位置に保持するための機構に関する説明図である。押し込みレバー３６は、そのレバー側壁３８Ａ，３８Ｂの外壁面に設けられた保持突起４４と、レバー支持部材３４に設けられた弾性保持片５８との相互作用により押し込み位置に保持される。押し込みレバー３６を図１２に一点鎖線で示す位置から倒す過程で、保持突起４４が弾性保持片５８に当たる。押し込みレバー３６の回転に伴って、保持突起４４は弾性保持片５８を外側にたわませ、弾性保持片５８の位置を通過する。押し込みレバー３６が押し込み位置となったとき、弾性保持片５８はたわんだ状態から元に戻り、保持突起４４は、弾性保持片５８の側面に接した状態となる。保持突起４４は、弾性保持片５８の弾性力により、この位置に保持され、押し込みレバー３６が押し込み位置に保持される。
【００５３】
上述の基板装置１４においては、押し込みレバー３６の回転に伴い差し込み側コネクタ２４を押し込む構成としたが、これに限らず、並進して差し込み側コネクタを押し込む操作子であってもよい。また、追加機器は、ファクシミリモデム以外の機器であってもよい。
【符号の説明】
【００５４】
１０  画像形成装置、１２  装置本体、１４  基板装置、１６  側面パネル、１８  ファクシミリモデム（追加機器）、２０  モデム本体、２２  ハーネス、２４  差し込み側コネクタ、２６  回路基板、２８  受け側コネクタ、３０  ブラケット、３２  ブラケット側板、３４  レバー支持部材、３６  押し込みレバー（押し込み操作子）、３８Ａ，３８Ｂ  レバー側壁、４０  レバー上壁、４２  レバー軸、４４  保持突起、４６  レバー突起、４８  支持部材側壁、５０  受けフランジ、５２  軸保持部、５４  収容開口、５６Ａ，５６Ｂ  ガイド部材（仮置き部）、５８  弾性保持片、６０  側板切り欠き部、６２  支持フランジ、６４  モデム保持部、６６  突起受け部、６８  案内壁。
【図１】
2020047494.tif 000003
【図２】
2020047494.tif 000004
【図３】
2020047494.tif 000005
【図４】
2020047494.tif 000006
【図５】
2020047494.tif 000007
【図６】
2020047494.tif 000008
【図７】
2020047494.tif 000009
【図８】
2020047494.tif 000010
【図９】
2020047494.tif 000011
【図１０】
2020047494.tif 000012
【図１１】
2020047494.tif 000013
【図１２】
2020047494.tif 000014